(57)【要約】【課題】小型化することが可能なレンズ鏡筒を提供する。【解決手段】レンズ鏡筒１０は、１ａ群レンズ枠１５、ＯＩＳベース枠１７、固定枠２４を備えている。１ａ群レンズ枠１５は、第１レンズＬ１を有する。ＯＩＳベース枠１７は、第１レンズＬ１の光軸調整を行う開口部１７ｅを有する。固定枠２４は、第１レンズＬ１の光軸調整を行う際の基準位置となるビス穴２４ｃを有する。【選択図】図１０
2016200715.tif 000002
【特許請求の範囲】
【請求項１】
光軸方向に沿って複数のレンズ群が配置されたレンズ鏡筒であって、
第１レンズ群を有する第１レンズ枠と、
前記第１レンズ群の光軸調整を行う第１調整部を有する補助枠と、
前記第１レンズ群の光軸調整を行う際の基準位置となる第１基準部を有する固定枠と、
を備えているレンズ鏡筒。
【請求項２】
第２レンズ群を有する第２レンズ枠を、さらに備えており、
前記補助枠は、前記第２レンズ群の光軸調整を行う第２調整部を有しており、
前記固定枠は、前記第２レンズ群の光軸調整を行う際の基準位置となる第２基準部を有している、
請求項１に記載のレンズ鏡筒。
【請求項３】
前記第１調整部、前記第２調整部、前記第１基準部および前記第２基準部は、光軸に垂直な略同一平面内、あるいは光軸に垂直な略同一平面内における略同一の円周上に沿って配置されている、
請求項２に記載のレンズ鏡筒。
【請求項４】
前記光軸方向における前記補助枠と前記固定枠との間に設けられた光学部品をさらに備えている、
請求項１から３のいずれか１項に記載のレンズ鏡筒。
【請求項５】
前記固定枠は、前記第１レンズ群の光軸調整において基準となる基準レンズを有している、
請求項１に記載のレンズ鏡筒。
【請求項６】
前記固定枠は、前記第１レンズ群および前記第２レンズ群の光軸調整において基準となる基準レンズを有している、
請求項２に記載のレンズ鏡筒。
【発明の詳細な説明】
【技術分野】
【０００１】
本開示は、レンズ鏡筒に関する。
【背景技術】
【０００２】
レンズ鏡筒には、光軸方向に沿って複数のレンズ枠にそれぞれ取り付けられたレンズ群が含まれている。
例えば、特許文献１には、互いに連結されるレンズ枠と固定枠との間に調整ベースを設けたレンズ鏡筒において、偏心ピンを用いてレンズの光軸調整（偏心調整）を行う構成について開示されている。
【先行技術文献】
【特許文献】
【０００３】
【特許文献１】国際公開第２０１３／０２７３０８号
【発明の概要】
【発明が解決しようとする課題】
【０００４】
しかしながら、上記従来のレンズ鏡筒では、以下に示すような問題点を有している。
すなわち、上記公報に開示されたレンズ鏡筒では、レンズ枠のレンズの光軸調整を行うための調整部とその調整の際の基準位置となる固定部とを、調整ベース、固定枠の双方に設けている。このため、調整ベースと固定枠にそれぞれ調整部と固定部を設けるスペースが必要となるため、レンズ鏡筒のサイズが大型化しやすいという課題がある。
【０００５】
本開示の課題は、小型化することが可能なレンズ鏡筒を提供することにある。
【課題を解決するための手段】
【０００６】
本開示に係るレンズ鏡筒は、光軸方向に沿って複数のレンズ群が配置されたレンズ鏡筒であって、第１レンズ枠と、補助枠と、固定枠と、を備えている。第１レンズ枠は、第１レンズ群を有する。補助枠は、第１レンズ群の光軸調整を行う第１調整部を有する。固定枠は、第１レンズ群の光軸調整を行う際の基準位置となる第１基準部を有する。
【発明の効果】
【０００７】
本開示に係るレンズ鏡筒によれば、第１レンズ枠の第１基準部と第１調整部とが別々の部材（補助枠、固定枠）に設けられているため、従来よりも小型化することができる。
【図面の簡単な説明】
【０００８】
【図１】本開示の一実施形態に係るレンズ鏡筒の構成を示す全体斜視図。
【図２】図１のレンズ鏡筒の被写体側の部分を構成する各部品の分解斜視図。
【図３】図１に示す部品のうち、本実施形態のレンズ鏡筒の主要部を構成する各部品を抜き出した分解斜視図。
【図４】図３の主要部に含まれる１ａ群レンズ枠の構成を示す斜視図。
【図５】図３の主要部に含まれる１ｂ群レンズ枠の構成を示す斜視図。
【図６】図３の主要部に含まれるＯＩＳベース枠の構成を示す斜視図。
【図７】（ａ）は、図６のＯＩＳベース枠の平面図。（ｂ）は、（ａ）のＭ−Ｍ線矢視断面図。
【図８】（ａ）は、図３の主要部に含まれる固定枠の構成を示す平面図。（ｂ）は、（ａ）のＪ部分の拡大図。
【図９】図３に示す主要部を組み立てた状態を示す側面図。
【図１０】（ａ）は、図９の主要部の構成を光軸方向における被写体側から見た平面図。（ｂ）は、（ａ）のＦ−Ｆ線矢視断面図。
【図１１】（ａ）は、図１０（ａ）のＨ−Ｈ線矢視断面図。（ｂ）は、図１０（ａ）のＧ部分の拡大図。
【発明を実施するための形態】
【０００９】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
なお、出願人は、当業者が本開示を十分に理解するために添付図面および以下の説明を提供するのであって、これらによって特許請求の範囲に記載の主題を限定することを意図するものではない。
【００１０】
（実施形態１）
本開示の一実施形態に係るレンズ鏡筒について、図１〜図１１（ｂ）を用いて説明すれば以下の通りである。
（レンズ鏡筒１０全体の構成）
本実施形態に係るレンズ鏡筒１０は、図１に示すように、カメラ本体（図示せず）に対して着脱可能なレンズユニットである。そして、レンズ鏡筒１０は、外観視において、光軸Ｘ方向における被写体側から、フィルタリング押さえ１１、第１レンズＬ１、フィルタリング１２、前枠１４、フォーカスリング２５、後枠２６を備えている。
【００１１】
ここで、レンズ鏡筒１０を構成する部品のうち、光軸方向における被写体側の部分を構成する部品は、図２に示すように配置されている。
具体的には、光軸Ｘ方向における被写体側から見て、フィルタリング押さえ１１、フィルタリング１２、防塵リング１３、前枠１４、第１レンズＬ１、１ａ群レンズ枠１５、第２レンズＬ２、第３レンズＬ３、１ｂ群レンズ枠１６、ＯＩＳベース枠１７、ＯＩＳ回動軸１８、ＯＩＳバネ１９、ＯＩＳボール２０、第４レンズＬ４、ＯＩＳレンズ枠２１、ＯＩＳマグネット２２、絞りユニット２３、固定枠２４、第５レンズＬ５および第６レンズＬ６が、順に配置されている。
【００１２】
なお、図２では、レンズ鏡筒１０に含まれる１０枚のレンズのうち、第１〜第６レンズＬ１〜Ｌ６までしか示されていないが、光軸Ｘ方向における被写体側から見て第６レンズＬ６の背面側に残りの第７〜第１０レンズが配置されているものとする。また、上記ＯＩＳとは、カメラ本体のブレを相殺する方向に補正レンズ（第４レンズＬ４）を駆動して被写体像の振れを低減する、いわゆる手振れ補正機構（Optical Image Stabilizer）を意味している。
【００１３】
フィルタリング押さえ１１は、図２に示すように、光軸Ｘ方向における最も被写体側に配置される環状の部材である。そして、フィルタリング押さえ１１は、ＯＩＳベース枠１７側に固定される。
フィルタリング１２は、図１に示すように、レンズ鏡筒１０の外郭の一部を構成する環状の部材である。そして、フィルタリング１２は、光学フィルタが取り付けられるようになっており、図２に示すように、光軸Ｘ方向において、フィルタリング押さえ１１と前枠１４との間に配置されている。そして、フィルタリング１２は、フィルタリング押さえ１１とＯＩＳベース枠１７との間に挟まれるように固定される。
【００１４】
防塵リング１３は、外装部材と内部との間に形成された隙間を埋めるために、フィルタリング１２と１ａ群レンズ枠１５との間に設けられている。これにより、レンズ鏡筒１０の外部からチリや埃が侵入することを防止している。
前枠１４は、図１に示すように、フィルタリング１２とＯＩＳベース枠１７とが接続された部分を外周側から覆うように配置されている。
【００１５】
また、前枠１４は、図２に示すように、光軸Ｘ方向における被写体側から見て、フィルタリング１２の背面側に配置されている。そして、前枠１４は、光軸Ｘ方向における被写体側とは反対側から、フィルタリング１２に対してビス止めによって固定される。
１ａ群レンズ枠（第１レンズ枠）１５は、図２に示すように、１ｂ群レンズ枠１６を介して、第１レンズ（第１レンズ群）Ｌ１の光軸調整が可能な状態で、ＯＩＳベース枠１７に取り付けられる。また、１ａ群レンズ枠１５は、図３に示すように、第１レンズＬ１が取り付けられている。さらに、１ａ群レンズ枠１５は、図３に示すように、固定用のビス１５ｂｂを用いて固定枠２４に固定されるとともに、光軸調整用の偏心ピン１５ｃｂを用いて光軸調整が行われる。
【００１６】
なお、１ａ群レンズ枠１５の構成については、後段にて詳述する。
１ｂ群レンズ枠（第２レンズ枠）１６は、図２に示すように、１ａ群レンズ枠１５と同様に、第２レンズ（第２レンズ群）Ｌ２および第３レンズ（第２レンズ群）Ｌ３の光軸調整が可能な状態で、固定枠２４において支持される。そして、１ｂ群レンズ枠１６は、図３に示すように、第２レンズＬ２および第３レンズＬ３が取り付けられている。
【００１７】
なお、１ｂ群レンズ枠１６の構成については、後段にて詳述する。
ＯＩＳベース枠（補助枠）１７は、図２に示すように、略円筒状の部材であって、光軸Ｘ方向における被写体側の面において、１ａ群レンズ枠１５と１ｂ群レンズ枠１６とを光軸調整可能な状態で保持する。また、ＯＩＳベース枠１７は、図３に示すように、光軸Ｘ方向における被写体とは反対側に配置されたＯＩＳレンズ枠２１が、回動可能な状態で取り付けられる。
【００１８】
なお、ＯＩＳベース枠１７の詳細な構成については、後段にて詳述する。
ＯＩＳ回動軸１８は、図２に示すように、ＯＩＳベース枠１７に対して固定されており、アクチュエータによって光軸Ｘ方向に垂直な平面内において駆動されるＯＩＳレンズ枠２１の回動中心となる。
ＯＩＳバネ１９は、図２に示すように、ＯＩＳベース枠１７とＯＩＳレンズ枠２１との間に３つ設けられている。そして、ＯＩＳバネ１９は、弾性力を活用して、ＯＩＳ回動軸１８を中心に回動可能な状態で、ＯＩＳベース枠１７においてＯＩＳレンズ枠２１を支持する。
【００１９】
ＯＩＳボール２０は、図２に示すように、ＯＩＳベース枠１７とＯＩＳレンズ枠２１との間に３つ設けられている。
ＯＩＳレンズ枠２１は、図２に示すように、第４レンズ（第３レンズ群）Ｌ４が取り付けられている。そして、ＯＩＳレンズ枠２１は、アクチュエータ（絞りユニット２３に設けられたコイル２３ａ（図２参照））の駆動力を受けて、ＯＩＳ回動軸１８を中心にして回動し、光軸Ｘ方向に対して垂直な平面内において移動することで、光学的に像ぶれを補正する。
【００２０】
ＯＩＳマグネット２２は、図２に示すように、ＯＩＳレンズ枠２１の背面側に配置されている。
絞りユニット（光学部品）２３は、図示しないカメラ本体側に設けられた撮像素子に入射する光の量を調整するために設けられている。そして、絞りユニット２３は、図３に示すように、ＯＩＳレンズ枠２１と固定枠２４との間に設けられている。
【００２１】
固定枠２４は、図２に示すように、円筒状の部材であって、ＯＩＳレンズ枠２１、ＯＩＳマグネット２２、および絞りユニット２３等を内周面側において内包している。また、固定枠２４は、図３に示すように、光軸Ｘ方向における被写体側とは反対側の設けられた底面に第５・第６レンズ（基準レンズ群）Ｌ５，Ｌ６が取り付けられている。
なお、固定枠２４の構成については、後段にて詳述する。
【００２２】
次に、本実施形態のレンズ鏡筒１０における主要な構成である１ａ群レンズ枠１５、１ｂ群レンズ枠１６、ＯＩＳベース枠１７、および固定枠２４の構成について、以下で詳細に説明する。
（１ａ群レンズ枠１５）
１ａ群レンズ枠１５は、第１レンズＬ１が取り付けられたレンズ枠であって、図４に示すように、本体部１５ａ、被固定部１５ｂ、被調整部１５ｃを有している。
【００２３】
本体部１５ａは、図４に示すように、円環状の部材であって、第１レンズＬ１が取り付けられている。
被固定部１５ｂは、図４に示すように、円環状の本体部１５ａの外周部分から径方向外側に向かって突出するように形成された板状の部材であって、光軸Ｘ方向に略垂直な面を貫通するように形成されたビス穴１５ｂａが形成されている。
【００２４】
ビス穴１５ｂａは、図４に示すように、ビス１５ｂｂが挿入される。
ビス１５ｂｂは、後述する固定枠２４側に形成されたビス穴（ビス座面）２４ｃ（図８（ａ）参照）に羅合して固定されることで、１ａ群レンズ枠１５を固定枠２４に対して固定することができる。よって、第１レンズＬ１の光軸調整を行う際には、１ａ群レンズ枠１５は、この被固定部１５ｂの部分を基準位置として位置が調整される。
【００２５】
また、被固定部１５ｂは、図４に示すように、円環状の本体部１５ａの外周部分から径方向外側に向かって突出した部分の両側面に、それぞれ凹部１５ｂｃを有している。
凹部１５ｂｃは、図４および図１０（ａ）に示すように、被固定部１５ｂの長手方向におけるほぼ中央部分に設けられた凹みであって、後述するＯＩＳベース枠１７側に設けられた凸部１７ｄｂと当接する。
【００２６】
被調整部１５ｃは、第１レンズＬ１の光軸調整を実施するために、本体部１５ａの外周面から径方向外側に向かって突出するように形成されており、図４に示すように、本体部１５ａの外周面に２つ設けられている。そして、被調整部１５ｃは、その外周面側に、径方向内側に向かって形成されたピン孔１５ｃａを有している。また、２つの被調整部１５ｃは、被固定部１５ｂとともに、周方向においてほぼ等間隔（約１２０度間隔）で、本体部１５ａの外周面に配置されている。さらに、被調整部１５ｃは、径方向に沿って形成された両側面に、凸部１５ｃｃ（図１１（ａ）等参照）を有している。
【００２７】
ピン孔１５ｃａは、第１レンズＬ１の光軸調整を行う偏心ピン１５ｃｂが挿入される。
偏心ピン（調整具）１５ｃｂは、断面視において偏心形状を有しており、外周面側から工具等を用いて回転させることで、周方向における２箇所から１ａ群レンズ枠１５の位置（ビス１５ｂｂを基点とする傾き）調整を行うことができる。
凸部１５ｃｃは、図４、図１１（ａ）および図１１（ｂ）に示すように、被調整部１５ｃの両側面から周方向に突出するように形成されており、後述するＯＩＳベース枠１７側に形成された円頭部１７ｇと当接する。
【００２８】
これにより、１ａ群レンズ枠１５は、被固定部１５ｂにおいて、両側面の凹部１５ｂｃが、ＯＩＳベース枠１７の凸部１７ｄｂによって挟まれる。さらに、被調整部１５ｃにおいて、両側面の凸部１５ｃｃがＯＩＳベース枠１７の円頭部１７ｇによって挟まれるように配置される。
この結果、１ａ群レンズ枠１５は、ＯＩＳベース枠１７に対して、光軸Ｘ方向に垂直な平面内において固定されるが、光軸Ｘ方向には調整可能な状態で取り付けられる。
【００２９】
なお、１ａ群レンズ枠１５の固定構造と光軸調整構造については、後段にて詳述する。
（１ｂ群レンズ枠１６）
１ｂ群レンズ枠１６は、第２・第３レンズＬ２，Ｌ３（第２レンズ群）が取り付けられたレンズ枠であって、図５に示すように、本体部１６ａ、羽根部１６ｂ、第１開口部１６ｃ、第２開口部１６ｄ、および円柱部１６ｅを有している。
【００３０】
本体部１６ａは、図５に示すように、略円環状の部材であって、その中心部に、第２・第３レンズＬ２，Ｌ３が取り付けられている。
羽根部１６ｂは、図５に示すように、本体部１６ａの外周面における３箇所から径方向外側に向かって形成された板状の部材であって、光軸Ｘ方向における被写体側へ迫り出すように形成されている。また、３つの羽根部１６ｂは、周方向における長さがそれぞれ異なるように形成されている。さらに、３つの羽根部１６ｂには、それぞれ光軸Ｘ方向において貫通するように形成された第１開口部１６ｃと第２開口部１６ｄとが形成されている。
【００３１】
第１開口部１６ｃは、図５に示すように、羽根部１６ｂにおける内周寄りの位置に形成された貫通穴であって、後述するＯＩＳベース枠１７に設けられた壁部１７ｂ（図６参照）がそれぞれ挿入される。これにより、１ｂ群レンズ枠１６のＯＩＳベース枠１７に対する位置調整を行うことができる。また、３つの第１開口部１６ｃは、周方向における長さがそれぞれ異なるように形成されている。つまり、３つの第１開口部１６ｃの周方向長さは、ここに挿入されるＯＩＳベース枠１７側の壁部１７ｂの周方向長さに合わせて、壁部１７ｂの周方向長さより若干大きく形成されている。
【００３２】
また、３つの第１開口部１６ｃの径方向における長さは、ここに挿入されるＯＩＳベース枠１７側の壁部１７ｂの径方向における長さに合わせて、壁部１７ｂの径方向における長さより若干大きく形成されている。
これにより、３つの第１開口部１６ｃ内に壁部１７ｂがそれぞれ挿入された状態において、１ｂ群レンズ枠１６をＯＩＳベース枠１７に対して、光軸Ｘ方向に垂直な平面内において移動させることができる。すなわち、このように、１ｂ群レンズ枠１６が光軸Ｘ方向に垂直な平面内において移動可能な状態が形成されていることで、１ｂ群レンズ枠１６の光軸調整を行うことができる。
【００３３】
第２開口部１６ｄは、図５に示すように、羽根部１６ｂにおける第１開口部１６ｃよりも外周寄りの位置に形成された貫通穴であって、後述するＯＩＳベース枠１７に設けられた接着剤溜まり１７ｆ（図６参照）上に配置される。
これにより、ＯＩＳベース枠１７側の接着剤溜まり１７ｆ上に、第２開口部１６ｄを重ねて配置することで、ＯＩＳベース枠１７の外周寄りの位置に、凹部を形成することができる。よって、光軸調整された１ｂ群レンズ枠１６を、ＯＩＳベース枠１７に対して固定するために、この凹部に塗布された接着剤を保持することができる。
【００３４】
円柱部１６ｅは、図５に示すように、３つの羽根部１６ｂの背面側における周方向の第１端から、それぞれ光軸Ｘ方向における被写体側とは反対側に向かって突出するように形成されている。そして、円柱部１６ｅは、ＯＩＳベース枠１７に形成された開口１７ｈ（図６等参照）に挿入され、その先端がＯＩＳベース枠１７の背面側（光軸Ｘ方向における被写体とは反対側）に突出する。
【００３５】
これにより、円柱部１６ｅは、ＯＩＳベース枠１７を介して、１ｂ群レンズ枠１６の光軸調整の基準位置として固定枠２４側に形成された凹部２４ｄ（図８（ａ）等参照）において支持される。
（ＯＩＳベース枠１７）
ＯＩＳベース枠（ベース部材）１７は、図６および図７（ａ）に示すように、略円筒状の部材であって、本体部１７ａ、壁部１７ｂ、雌ネジ部１７ｃ、載置部１７ｄ、開口部１７ｅ、接着剤溜まり１７ｆ、円頭部１７ｇ（図１１（ａ）参照）および開口１７ｈを有している。
【００３６】
本体部１７ａは、外周側における３箇所に形成された扇状部１７ａａと、円板状の中心部分に形成された円形の開口１７ａｂとを有している。
扇状部１７ａａは、図６および図７（ａ）に示すように、本体部１７ａにおける外周部分に配置されており、その被写体側の面には、接着剤溜まり１７ｆ、ビス穴１７ｆａが形成されている。
【００３７】
壁部１７ｂは、図６に示すように、円板状の本体部１７ａの外周寄りの位置から、光軸Ｘ方向における被写体側に向かって立設されている。また、壁部１７ｂは、周方向において、３箇所に設けられている。さらに、３つの壁部１７ｂは、周方向における長さがそれぞれ異なるように形成されている。
また、３つの壁部１７ｂは、上述した１ｂ群レンズ枠１６の第１開口部１６ｃ内へ挿入される。これにより、１ｂ群レンズ枠１６がＯＩＳベース枠１７に対して、光軸調整用の隙間を確保しつつ保持される。
【００３８】
雌ネジ部（第２係止部）１７ｃは、図６に示すように、壁部１７ｂの内周面に形成されたネジ溝であって、本体部１７ａにおける周方向に沿って所定の間隔をあけて３箇所に設けられている。そして、雌ネジ部１７ｃは、上述したフィルタリング押さえ１１の外周面に形成された雄ネジ部と螺合する。
載置部１７ｄは、図６および図７（ａ）に示すように、本体部１７ａにおける最外周部分から径方向外側に突出するように形成されている。そして、載置部１７ｄには、上述した１ａ群レンズ枠１５の一部（被固定部１５ｂ）が載置される。さらに、載置部１７ｄは、図７（ａ）に示すように、孔部１７ｄａ、凸部１７ｄｂを有している。
【００３９】
孔部１７ｄａは、図６および図７（ａ）に示すように、載置部１７ｄにおける光軸Ｘに垂直な面に形成された貫通穴であって、載置部１７ｄに載置された１ａ群レンズ枠１５の被固定部１５ｂを、固定枠２４に対して固定するためのビス１５ｂｂが挿入される。
このとき、ビス１５ｂｂは、孔部１７ｄａに挿入された状態で、固定枠２４側に設けられたビス穴２４ｃに羅合する。
【００４０】
凸部１７ｄｂは、載置部１７ｄの両側の壁部分から内側に向かって突出するように形成されている。そして、凸部１７ｄｂは、載置部１７ｄ上に被固定部１５ｂが載置された状態で、図１０（ａ）に示すように、上述した１ａ群レンズ枠１５の被固定部１５ｂを両側面から挟み込むように配置されている。
ここで、凸部１７ｄｂは、１ａ群レンズ枠１５の被固定部１５ｂの両側面に形成された凹部１５ｂｃに対して当接する。
【００４１】
これにより、１ａ群レンズ枠１５は、ＯＩＳベース枠１７に対して、光軸Ｘ方向に対して調整可能な状態で取り付けられる。
開口部（第１調整部）１７ｅは、図６に示すように、円筒状の本体部１７ａにおける外周面から径方向内側に向かって貫通するように形成された貫通穴であって、２箇所に設けられている。そして、開口部１７ｅは、上述した１ａ群レンズ枠１５に取り付けられた偏心ピン１５ｃｂを外周面側に露出させる。
【００４２】
これにより、１ａ群レンズ枠１５（第１レンズＬ１）の光軸調整を実施する際には、開口部１７ｅから工具等を挿入して偏心ピン１５ｃｂを回転させることができる。よって、組み立て状態において、１ａ群レンズ枠１５の光軸調整を容易に実施することができる。
接着剤溜まり（第２調整部）１７ｆは、図７に示すように、本体部１７ａの最外周部に設けられた３つの扇状部１７ａａにそれぞれ配置されている。そして、接着剤溜まり１７ｆは、上述した１ｂ群レンズ枠１６の第２開口部１６ｄが被せられた状態で形成される凹部に、接着剤が塗布される。
【００４３】
ビス穴１７ｆａは、接着剤溜まり１７ｆにおける中央部分に形成されており、後述する固定枠２４側のビス穴２４ｅ上に重ねて配置される。そして、ビス穴１７ｆａにビス１７ｆｂが挿入され、ビス１７ｆｂの先端が固定枠２４側のビス穴２４ｅに螺合することで、ＯＩＳベース枠１７が固定枠２４に対して固定される（図１０（ｂ）参照）。
円頭部１７ｇは、図１１（ａ）および図１１（ｂ）に示すように、上述した開口部１７ｅの内周面寄りの位置に、両側の側面から周方向に突出するように形成されている。そして、円頭部１７ｇは、１ａ群レンズ枠１５側の被調整部１５ｃの両側面から突出した凸部１５ｃｃと当接する。
【００４４】
開口１７ｈは、上述した１ｂ群レンズ枠１６側の円柱部１６ｅが挿入される貫通穴であって、図６および図７（ａ）に示すように、３つの接着剤溜まり１７ｆに周方向において隣接する位置に、３つ設けられている。開口１７ｈは、円柱部１６ｅを固定枠２４側に突出させることで、１ｂ群レンズ枠１６の円柱部１６ｅの部分を固定枠２４側において支持することができる。
【００４５】
（固定枠２４）
固定枠２４は、図３に示すように、円筒状の部材であって、上述した１ａ群レンズ枠１５、１ｂ群レンズ枠１６、およびＯＩＳベース枠１７が取り付けられる。そして、固定枠２４は、図８（ａ）に示すように、本体部２４ａ、円筒部２４ｂ、ビス穴２４ｃ、凹部２４ｄ、およびビス穴２４ｅを有している。
【００４６】
本体部２４ａは、図８（ａ）に示すように、中心部分に円形の開口（レンズ孔２４ａａ）を有する円板状の部材であって、固定枠２４の底面を形成する。
レンズ孔２４ａａには、第５レンズＬ５と第６レンズＬ６とが取り付けられる。
円筒部２４ｂは、円板状の本体部２４ａの外周部に設けられた円筒状の部材であって、光軸Ｘ方向における被写体側の端面には、ビス穴２４ｃ、凹部２４ｄ、ビス穴２４ｅが設けられている。
【００４７】
ビス穴（第１基準部）２４ｃは、図８（ａ）に示すように、円筒部２４ｂの端面における１箇所に設けられている。そして、ビス穴２４ｃは、上述した１ａ群レンズ枠１５の被固定部１５ｂを固定するためのビス１５ｂｂが羅合する。
これにより、１ａ群レンズ枠１５の一部を固定枠２４に対して固定することができる。よって、１ａ群レンズ枠１５は、固定枠２４側のビス穴２４ｃに固定された位置が基準となり、第１レンズＬ１の光軸調整が行われる。
【００４８】
凹部（第２基準部）２４ｄは、図８（ａ）に示すように、円筒部２４ｂを構成する壁部の端面に３箇所設けられている。そして、凹部２４ｄは、図８（ｂ）に示すように、平面視で略円筒状の部分において、上述した１ｂ群レンズ枠１６の円柱部１６ｅを支持する。
これにより、１ｂ群レンズ枠１６を固定枠２４における３点で支持することができる。そして、１ｂ群レンズ枠１６は、凹部２４ｄを構成する外周側の壁部において調整範囲が規制された状態で、第２・第３レンズＬ２．Ｌ３の光軸調整が行われる。
【００４９】
ビス穴２４ｅは、図８（ａ）に示すように、円筒部２４ｂの端面における３箇所に、周方向においてほぼ等間隔に設けられている。そして、ビス穴２４ｅは、ビス１７ｆｂが羅合することで、固定枠２４に対してＯＩＳベース枠１７を固定することができる。
ここで、開口部（第１調整部）１７ｅ、接着剤溜まり（第２調整部）１７ｆ、ビス穴（第１基準部）２４ｃおよび凹部（第２基準部）２４ｄは、光軸Ｘ方向に垂直な略同一の平面内における略同一の円周上に沿って配置されている。
【００５０】
＜１ａ群レンズ枠１５および１ｂ群レンズ枠１６の固定構造＞
本実施形態のレンズ鏡筒１０では、図９、図１０（ａ）および図１０（ｂ）に示すように、１ａ群レンズ枠１５、１ｂ群レンズ枠１６、ＯＩＳベース枠１７および固定枠２４等を組み立てた状態において、１ａ群レンズ枠１５および１ｂ群レンズ枠１６が、ともに、固定枠２４に対して固定される。
【００５１】
具体的には、図１０（ａ）に示すように、１ａ群レンズ枠１５の被固定部１５ｂに形成されたビス穴１５ｂａに挿入されるビス１５ｂｂは、ＯＩＳベース枠１７の孔部１７ｄａ（図６参照）を介して、固定枠２４側のビス穴２４ｃに羅合する。
これにより、１ａ群レンズ枠１５の一部（被固定部１５ｂ）が、ビス１５ｂｂによって、ＯＩＳベース枠１７ではなく、固定枠２４に対して固定される。
【００５２】
つまり、１ａ群レンズ枠１５と固定枠２４との間に配置されたＯＩＳベース枠１７には、ビス１５ｂｂが羅合するネジ穴ではなく、孔部１７ｄａが形成されている。よって、１ａ群レンズ枠１５の被固定部１５ｂは、ＯＩＳベース枠１７ではなく、固定枠２４に対して固定される。
ここで、固定枠２４に対して一部が固定された１ａ群レンズ枠１５は、偏心ピン１５ｃｂが挿入された２点において、調整可能な状態でＯＩＳベース枠１７に固定される。このため、１ａ群レンズ枠１５の被固定部１５ｂが固定される固定枠２４側のビス穴（第１基準部）２４ｃのビス座面（ビス穴２４ｃの周囲に設けられる。）は、１ａ群レンズ枠１５の光軸調整を行う際の基準位置となる。
【００５３】
一方、１ｂ群レンズ枠１６は、３つの羽根部１６ｂのそれぞれの背面側から突出する円柱部１６ｅが、ＯＩＳベース枠１７の開口１７ｈ（図６参照）を介して、固定枠２４側に３箇所設けられた凹部２４ｄにおいて３点支持される。
これにより、１ｂ群レンズ枠１６は、円柱部１６ｅの部分において、ＯＩＳベース枠１７ではなく、固定枠２４側に支持される。
【００５４】
つまり、１ｂ群レンズ枠１６と固定枠２４との間に配置されたＯＩＳベース枠１７には、円柱部１６ｅを支持する部分ではなく、開口１７ｈが形成されている。よって、１ｂ群レンズ枠１６の円柱部１６ｅは、ＯＩＳベース枠１７ではなく、固定枠２４において支持される。
ここで、固定枠２４において支持された１ｂ群レンズ枠１６は、光軸Ｘ方向に垂直な面内において移動可能な状態で支持されている。このため、１ｂ群レンズ枠１６の円柱部１６ｅを支持する固定枠２４側の凹部（第２基準部）２４ｄは、１ｂ群レンズ枠１６の光軸調整を行う際の基準位置となる。
【００５５】
＜１ａ群レンズ枠１５および１ｂ群レンズ枠１６の光軸調整構造＞
本実施形態のレンズ鏡筒１０では、図９、図１０（ａ）および図１０（ｂ）に示すように、１ａ群レンズ枠１５、１ｂ群レンズ枠１６、ＯＩＳベース枠１７および固定枠２４等を組み立てた状態において、１ａ群レンズ枠１５および１ｂ群レンズ枠１６の光軸調整を行うための調整部が、ともにＯＩＳベース枠１７に設けられている。
【００５６】
具体的には、図９に示すように、１ａ群レンズ枠１５の光軸調整を行う偏心ピン１５ｃｂは、ＯＩＳベース枠１７の開口部１７ｅを介して、外周面側に露出している。
これにより、１ａ群レンズ枠１５（第１レンズＬ１）の光軸調整は、図９に示す開口部１７ｅに工具等を挿入して偏心ピン１５ｃｂを回転させることで、容易に実施することができる。
【００５７】
なお、開口部１７ｅは、ＯＩＳベース枠１７の外周面の２箇所に設けられており、それぞれ偏心ピン１５ｃｂを外周面側に露出させているため、２箇所から調整を行うことができる。
以上のように、本実施形態のレンズ鏡筒１０では、１ａ群レンズ枠１５は、被固定部１５ｂ（凹部１５ｂｃ）が両側からＯＩＳベース枠１７の凸部１７ｄｂによって挟み込まれるように支持されるとともに、２つの被調整部１５ｃ（凸部１５ｃｃ）が両側からＯＩＳベース枠１７の円頭部１７ｇによって挟み込まれるように支持される。
【００５８】
これにより、１ａ群レンズ枠１５は、被固定部１５ｂおよび２つの被調整部１５ｃの両側面における計６点において支持されることで、光軸Ｘ方向に対して１ａ群レンズ枠１５の位置調整を実施することができる。
一方、１ｂ群レンズ枠１６では、図１０（ａ）に示すように、３つの羽根部１６ｂのそれぞれが載置されるＯＩＳベース枠１７の部分に、接着剤溜まり１７ｆが設けられている。
【００５９】
これにより、１ｂ群レンズ枠１６は、円柱部１６ｅの部分において固定枠２４側に支持された状態で、光軸Ｘ方向に垂直な平面内において移動させることで、光軸調整を実施することができる。
このとき、光軸調整の結果、１ｂ群レンズ枠１６を所望の位置において固定するために、ＯＩＳベース枠１７の接着剤溜まり１７ｆに接着剤を塗布することで、光軸調整が完了する。
【００６０】
＜主な特徴＞
本実施形態のレンズ鏡筒１０では、以上のように、１ａ群レンズ枠１５および１ｂ群レンズ枠１６という２つのレンズ枠の光軸調整を行う際に必要な基準となる固定箇所を、ともに、固定枠２４側に設けている（第１・第２基準部）。
さらに、１ａ群レンズ枠１５および１ｂ群レンズ枠１６という２つのレンズ枠の光軸調整を行う際に必要な調整箇所を、ともに、ＯＩＳベース枠１７側に設けている（第１・第２調整部）。
【００６１】
これにより、光軸調整が必要なレンズ枠の基準となる部分と調整を行う部分とを、別々の部材（固定枠２４およびＯＩＳベース枠１７）に設けたことで、固定枠２４に絞りユニット２３および第４レンズＬ４が取り付けられたＯＩＳレンズ枠２１を内包することができる（ＯＩＳベース枠１７と固定枠２４との間に絞りユニット２３や第４レンズＬ４が取り付けられたＯＩＳレンズ枠２１のような光学部品を設けることができる。）。このため、従来の構成と比較して、レンズ鏡筒を小型化することができる。
【００６２】
さらに、１ａ群レンズ枠１５および１ｂ群レンズ枠１６の基準部（第１基準部、第２基準部）は、固定枠２４の被写体側の端面に設けられている。そして、光軸調整を行う際に基準となるレンズ（第５・第６レンズＬ５，Ｌ６）は、固定枠２４の底面側に取り付けられている。このため、１ａ群レンズ枠１５および１ｂ群レンズ枠１６の基準部と、基準となるレンズ（第５・第６レンズＬ５，Ｌ６））とに間の設けられる部品は、固定枠２４のみとなるため、最小の部品構成とすることができる。よって、基準となるレンズ（第５・第６レンズＬ５，Ｌ６）と１ａ群レンズ枠１５および１ｂ群レンズ枠１６の基準部（第１基準部、第２基準部）との間に配置された部品点数が少ない分、従来よりも高精度に光軸調整を実施することができる。
【００６３】
ここで、光軸調整が必要なレンズ枠の基準となる部分と調整を行う部分とを、１つの部材に設けた場合には、その部材に基準部と調整部とを設ける必要があるため、その部材が大型化してしまう。特に、本実施形態のように、光軸調整が必要な複数のレンズ枠を備えたレンズ鏡筒の場合には、基準部と調整部とをレンズ枠の数に応じて設ける必要があるため、レンズ鏡筒全体が大型化しやすい。
【００６４】
そこで、本実施形態のレンズ鏡筒１０では、２つのレンズ枠（１ａ群レンズ枠１５および１ｂ群レンズ枠１６）の固定箇所を固定枠２４側に設けるとともに、調整箇所をＯＩＳベース枠１７に設けている。
これにより、例えば、１つの部材に２つのレンズ枠（１ａ群レンズ枠１５および１ｂ群レンズ枠１６）の固定箇所と調整箇所とを全て設けた構成と比較して、その部材の大きさを小型化することができる。
【００６５】
この結果、レンズ鏡筒全体の大きさも小型化することができる。
［他の実施形態］
以上、本開示の一実施形態について説明したが、本開示は上記実施形態に限定されるものではなく、開示の要旨を逸脱しない範囲で種々の変更が可能である。
（Ａ）
上記実施形態では、光軸調整の対象となるレンズ枠として、２つのレンズ枠（第１・第２レンズ枠）を含むレンズ鏡筒の構成を例として挙げて説明した。しかし、本開示はこれに限定されるものではない。
【００６６】
例えば、光軸調整の対象となるレンズ枠として１つのレンズ枠を含むレンズ鏡筒に対して、本開示の構成を適用してもよい、あるいは、３つ以上のレンズ鏡筒を含むレンズ鏡筒に対して、本開示の構成を適用してもよい。
いずれの場合でも、それぞれのレンズ枠の調整部と基準部とを、別々の部材に対して持たせるような構成であれば、上記実施形態と同様の効果を得ることができる。
【００６７】
（Ｂ）
上記実施形態では、光軸Ｘ方向における被写体側から、１ａ群レンズ枠１５（第１レンズ枠）、１ｂ群レンズ枠１６（第２レンズ枠）、ＯＩＳベース枠１７（補助枠）、および固定枠２４の順に配置されたレンズ鏡筒１０を例として挙げて説明した。しかし、本開示はこれに限定されるものではない。
【００６８】
第１レンズ枠、第２レンズ枠、補助枠および固定枠の配置の順番が所定の順番に限定される必要はなく、例えば、光軸方向における被写体側から、第１レンズ枠、補助枠、第２レンズ枠、固定枠の順に配置されたレンズ鏡筒であってもよい。
（Ｃ）
上記実施形態では、光軸調整の対象となる２つのレンズ枠（第１・第２レンズ枠）として、１ａ群レンズ枠１５と１ｂ群レンズ枠１６に対して本開示の構成を適用した例を挙げて説明した。しかし、本開示はこれに限定されるものではない。
【００６９】
例えば、光軸調整が必要な他のレンズ枠に対して、本開示の構成を適用してもよい。
（Ｄ）
上記実施形態では、１ａ群レンズ枠１５の光軸調整を行う第１調整部として、ＯＩＳベース枠（補助枠）１７の外周面に形成された開口部１７ｅを用いた例を挙げて説明した。しかし、本開示はこれに限定されるものではない。
【００７０】
例えば、開口部の代わりに、ＯＩＳベース枠１７の外周面側へ調整具（偏心ピン１５ｃｂ）を露出させることが可能な切欠き部等を用いてもよい。
（Ｅ）
上記実施形態では、１ａ群レンズ枠１５の光軸調整を行う調整具として、偏心ピン１５ｃｂを用いた例を挙げて説明した。しかし、本開示はこれに限定されるものではなく、偏心ピン以外の他の調整具を用いてもよい。
【産業上の利用可能性】
【００７１】
本開示のレンズ鏡筒は、第１レンズ枠の第１基準部と第１調整部とが別々の部材（補助枠、固定枠）に設けられているため、従来よりも小型化することができるという効果を奏することから、各種レンズ鏡筒に対して広く適用可能である。
【符号の説明】
【００７２】
１０      レンズ鏡筒
１１      フィルタリング押さえ
１２      フィルタリング
１３      防塵リング
１４      前枠
１５      １ａ群レンズ枠（第１レンズ枠）
１５ａ    本体部
１５ｂ    被固定部
１５ｂａ  ビス穴
１５ｂｂ  ビス
１５ｂｃ  凹部
１５ｃ    被調整部
１５ｃａ  ピン孔
１５ｃｂ  偏心ピン（調整具）
１５ｃｃ  凸部
１６      １ｂ群レンズ枠（第２レンズ枠）
１６ａ    本体部
１６ｂ    羽根部
１６ｃ    第１開口部
１６ｄ    第２開口部
１６ｅ    円柱部
１７      ＯＩＳベース枠（補助枠）
１７ａ    本体部
１７ａａ  扇状部
１７ａｂ  開口
１７ｂ    壁部
１７ｃ    雌ネジ部
１７ｄ    載置部
１７ｄａ  孔部
１７ｄｂ  凸部
１７ｅ    開口部（第１調整部）
１７ｆ    接着剤溜まり（第２調整部）
１７ｆａ  ビス穴
１７ｆｂ  ビス
１７ｇ    円頭部
１７ｈ    開口
１８      ＯＩＳ回動軸
１９      ＯＩＳバネ
２０      ＯＩＳボール
２１      ＯＩＳレンズ枠
２２      ＯＩＳマグネット
２３      絞りユニット（光学部品）
２４      固定枠
２４ａ    本体部
２４ａａ  レンズ孔
２４ｂ    円筒部
２４ｃ    ビス穴（第１基準部、ビス座面）
２４ｄ    凹部（第２基準部）
２４ｅ    ビス穴
２５      フォーカスリング
２６      後枠
Ｌ１      第１レンズ（第１レンズ群）
Ｌ２      第２レンズ（第２レンズ群）
Ｌ３      第３レンズ（第２レンズ群）
Ｌ４      第４レンズ（第３レンズ群）
Ｌ５      第５レンズ（基準レンズ群）
Ｌ６      第６レンズ（基準レンズ群）
Ｘ      光軸
【図１】
2016200715.tif 000003
【図２】
2016200715.tif 000004
【図３】
2016200715.tif 000005
【図４】
2016200715.tif 000006
【図５】
2016200715.tif 000007
【図６】
2016200715.tif 000008
【図７】
2016200715.tif 000009
【図８】
2016200715.tif 000010
【図９】
2016200715.tif 000011
【図１０】
2016200715.tif 000012
【図１１】
2016200715.tif 000013